(57)【要約】【課題】コネクターの数が増加したとしてもコネクターカバーの設置スペースを削減することが出来るコネクターカバーを提供する。【解決手段】本発明に係るコネクターカバー２は、機器本体１に支持されるべき基部２１と、該基部２１を中心として該基部２１から離間する方向へ伸びる複数のカバー部２２、２３と具え、該複数のカバー部２２、２３によって機器本体１の複数のコネクターを開閉可能に覆うことが可能となっている。【選択図】図６
2009134967.tif 000002
【特許請求の範囲】
【請求項１】
機器本体に配備された外部機器接続用の複数のコネクターを覆うコネクターカバーにおいて、機器本体に支持されるべき基部(21)と、該基部(21)を中心として該基部(21)から離間する方向へ伸びる複数のカバー部(22)(23)と具え、該複数のカバー部(22)(23)によって機器本体の複数のコネクターを開閉可能に覆うことが可能であることを特徴とするコネクターカバー。
【請求項２】
更に、前記基部(21)の裏面に突設された軸部(26)と、該軸部(26)の先端部に突設された鍔部(27)とを有している請求項１に記載のコネクターカバー。
【請求項３】
少なくとも基部(21)と各カバー部(22)(23)との連結部分が弾性材料から形成されている請求項１又は請求項２に記載のコネクターカバー。
【請求項４】
機器本体(１)に、外部機器を接続するための複数のコネクター(３)(４)を配備した電子機器において、互いに隣接する複数のコネクター(３)(４)に跨ってコネクターカバー(２)が配備され、該コネクターカバー(２)は、機器本体(１)に支持されるべき基部(21)と、該基部(21)を中心として該基部(21)から離間する方向へ伸びる複数のカバー部(22)(23)と具え、該複数のカバー部(22)(23)によって機器本体(１)の複数のコネクター(３)(４)が開閉可能に覆われていることを特徴とする電子機器。
【請求項５】
前記コネクターカバー(２)は、前記基部(21)の裏面に突設された軸部(26)と、該軸部(26)の先端部に突設された鍔部(27)とを有し、該軸部(26)が、機器本体(１)に設けた軸受け部(11)を貫通し、該軸部(26)を中心として回転が可能である請求項４に記載の電子機器。
【請求項６】
前記コネクターカバー(２)は、前記軸部(26)が機器本体(１)の軸受け部(11)を貫通した状態で、機器本体(１)に設けた凹部(12)に収容された収容位置と、該凹部(12)から脱出した引出し位置との間で、該軸部(26)の軸方向に往復移動が可能である請求項５に記載の電子機器。
【発明の詳細な説明】
【技術分野】
【０００１】
本発明は、携帯電話機等の電子機器において、機器本体に配備された外部機器接続用のコネクターを覆うコネクターカバーに関するものである。
【背景技術】
【０００２】
例えば携帯電話機においては、図４に示す如く機器本体(１)の側面に、外部機器を接続するための複数のコネクター(３)(４)が配備されており、これらのコネクター(３)(４)はそれぞれ、図７に示す如きコネクターカバー(５)によって覆われている(特許文献１参照)。
【０００３】
該コネクターカバー(５)は、図示の如くカバー部(51)及び基部(52)からなる平板状のカバー本体を具え、基部(52)の裏面には丸軸状の軸部(53)が突設され、該軸部(53)の先端部には円板状の鍔部(54)が突設されている。
コネクターカバー(５)の軸部(53)は、機器本体(１)に設けられた軸受け部(11)を貫通し、鍔部(54)によって抜け止めが施されている。
又、コネクターカバー(５)のカバー部(51)及び基部(52)は、機器本体(１)の凹部(12)に収容されて、コネクターへ通じる開口を塞いでいる。
【０００４】
コネクターに外部機器を接続する際には、コネクターカバー(５)のカバー部(51)を弾性変形させることによって、コネクターへ通じる開口を開く。
【特許文献１】特開２００２−３４４１５６号公報
【発明の開示】
【発明が解決しようとする課題】
【０００５】
ところで、近年の小型電子機器においては、多機能化に伴って複数のコネクターが配備されており、コネクター数の増加に伴ってコネクターカバーの数も増加することになる。
例えば図４に示す如く機器本体(１)の側面に２つのコネクター(３)(４)が配備されている場合、これらのコネクター(３)(４)のそれぞれにコネクターカバーが取り付けられることになる。
【０００６】
図７に示す様に、１つのコネクターカバー(５)の長さＬ′は、カバー部(51)の長さＬ１と基部(52)の長さＬ０の合計値となるため、２つのコネクターを取り付けるためには、少なくとも２×(Ｌ１＋Ｌ０)の長さに応じたスペースが必要となる。ここで、基部(52)の長さＬ０に応じたスペースは、コネクターカバー(５)を支持するための専用のスペースとなる。従って、コネクターの数の増加によって電子機器の小型化が阻害される問題がある。
【０００７】
そこで本発明の目的は、コネクターの数が増加したとしてもコネクターカバーを設置するためのスペースを削減することが出来るコネクターカバーを提供することである。
【課題を解決するための手段】
【０００８】
本発明に係るコネクターカバーは、機器本体に支持されるべき基部(21)と、該基部(21)を中心として該基部(21)から離間する方向へ伸びる複数のカバー部(22)(23)と具え、該複数のカバー部(22)(23)によって機器本体の複数のコネクターを開閉可能に覆うことが可能となっている。
【０００９】
上記本発明のコネクターカバーにおいては、複数のカバー部(22)(23)がそれぞれ機器本体のコネクターに通じる開口を開閉することが可能であり、外部機器を接続せんとするコネクターを閉じているカバー部を開くことによって、該コネクターに対する接続作業を行なうことが出来る。
【００１０】
具体的構成においては、更に、前記基部(21)の裏面に突設された軸部(26)と、該軸部(26)の先端部に突設された鍔部(27)とを有し、該軸部(26)が、機器本体(１)に設けた軸受け部(11)を貫通し、該軸部(26)を中心として回転が可能である。
該具体的構成によれば、基部(21)を中心としてコネクターカバー(２)を回転させることによって、複数のカバー部(22)(23)を同時に開くことが出来る。
【００１１】
又、具体的構成において、コネクターカバー(２)は、前記軸部(26)が機器本体(１)の軸受け部(11)を貫通した状態で、機器本体(１)に設けた凹部(12)に収容された収容位置と、該凹部(12)から脱出した引出し位置との間で、該軸部(26)の軸方向に往復移動が可能である。
該具体的構成によれば、コネクターカバー(２)を機器本体(１)の凹部(12)から引き出した状態で、基部(21)を中心としてコネクターカバー(２)を容易に回転させることが出来る。
【発明の効果】
【００１２】
本発明に係るコネクターカバー及びこれを具えた電子機器によれば、複数のコネクターに通じる複数の開口を１つのコネクターカバーの複数のカバー部によって覆うことが出来、該コネクターカバーの基部は、複数のカバー部に共通化されているので、コネクターカバーを設置するためのスペースが、(コネクター数Ｎ−１)×基部の長さＬ０に応じたスペース分だけ従来よりも削減されることになる。
【発明を実施するための最良の形態】
【００１３】
以下、本発明を携帯電話機に実施した形態につき、図面に沿って具体的に説明する。
本発明に係る携帯電話機は、図４に示す如く、機器本体(１)の側面に２つのコネクター(３)(４)を具えており、これらのコネクター(３)(４)が図１及び図２に示す如く１つの合成樹脂製のコネクターカバー(２)によって覆われている。
【００１４】
コネクターカバー(２)は、図５に示す如く、それぞれ平板状の基部(21)、第１カバー部(22)及び第２カバー部(23)を互いに連結して構成され、基部(21)の両側に第１カバー部(22)と第２カバー部(23)が配備され、基部(21)と第１カバー部(22)との境界部に薄肉部(24)が形成されると共に、基部(21)と第２カバー部(23)との境界部に薄肉部(25)が形成されている。
又、基部(21)の裏面には、丸軸状の軸部(26)が突設され、該軸部(26)の先端部には円板状の鍔部(27)が突設されている。
【００１５】
図６(ａ)(ｂ)に示す様に、コネクターカバー(２)の軸部(26)は機器本体(１)に設けられた軸受け部(11)を貫通し、鍔部(27)によって抜け止めが施されている。
コネクターカバー(２)の基部(21)、第１カバー部(22)及び第２カバー部(23)は、機器本体(１)に設けられた凹部(12)に収容された状態で、第１カバー部(22)が一方のコネクター(３)に通じる開口を塞ぐと共に、第２カバー部(23)が他方のコネクター(４)に通じる開口を塞いでいる。
【００１６】
ここで、コネクターカバー(２)の第１カバー部(22)は、一方のコネクター(３)を覆うことの出来る長さＬ１を有し、第２カバー部(23)は、他方のコネクター(４)を覆うことの出来る長さＬ２を有している。
又、コネクターカバー(２)の基部(21)、第１カバー部(22)及び第２カバー部(23)は、機器本体(１)の凹部(12)の深さに略一致する厚さＴを有し、軸部(26)は、軸受け部(11)の軸方向の長さＳと機器本体(１)の凹部(12)の深さＴの合計値と略一致する長さＡを有している。
【００１７】
上記本発明のコネクターカバー(２)によれば、図６(ａ)の如く軸部(26)が機器本体(１)の軸受け部(11)を貫通した状態で、機器本体(１)に設けた凹部(12)に収容された収容位置のまま、図１の如く第２カバー部(23)を前記薄肉部(25)にて弾性変形させて、コネクター(４)を露出させ、或いは図２の如く第１カバー部(22)を前記薄肉部(24)にて弾性変形させて、コネクター(３)を露出させることが出来る。
【００１８】
又、図６(ｂ)の如く、コネクターカバー(２)の基部(21)、第１カバー部(22)及び第２カバー部(23)を機器本体(１)の凹部(12)から脱出させた引出し位置にて、図３の如くコネクターカバー(２)を９０度回転させることによって、２つのコネクター(３)(４)を同時に露出させることが出来る。このとき、コネクターカバー(２)の第１カバー部(22)及び第２カバー部(23)の裏面は、機器本体(１)の側面と摺接しているので、コネクターカバー(２)の回転に対して摩擦抵抗が作用し、この摩擦抵抗によって図示する回転姿勢に保持されることになる。
【００１９】
上記本発明のコネクターカバー(２)によれば、２つのコネクター(３)(４)に通じる複数の開口を第１カバー部(22)と第２カバー部(23)によって覆うことが出来、基部(21)は２つのカバー部(22)(23)に共通化されているので、図６(ａ)(ｂ)に示す如くコネクターカバー(２)の長さＬｔは、基部(21)の長さＬ０、第１カバー部(22)の長さＬ１、及び第２カバー部(23)の長さＬ２の合計値(Ｌ０＋Ｌ１＋Ｌ２)となる。
これに対し、従来においては、２つのコネクター(３)(４)のそれぞれにコネクターカバーが取り付けられていたため、(Ｌ０＋Ｌ１＋Ｌ０＋Ｌ２)の長さに応じたスペースが必要であった。
従って、本発明のコネクターカバー(２)によれば、従来よりも基部(21)の長さＬ０に応じたスペースだけ従来よりも省スペース化が図られることになる。
【００２０】
尚、本発明の各部構成は上記実施の形態に限らず、特許請求の範囲に記載の技術的範囲内で種々の変形が可能である。例えば、上記実施例では、コネクターカバー(２)の基部(21)を機器本体(１)に支持するために、軸部(26)及び鍔部(27)が設けられているが、これに限らず、周知の種々の支持構造を採用することが出来る。
【図面の簡単な説明】
【００２１】
【図１】本発明に係るコネクターカバーを具えた電子機器において一方のカバー部を開いた状態を示す斜視図である。
【図２】本発明に係るコネクターカバーを具えた電子機器において他方のカバー部を開いた状態を示す斜視図である。
【図３】本発明に係るコネクターカバーを具えた電子機器においてコネクターカバーを回転させた状態を示す斜視図である。
【図４】コネクターカバーを取り外した機器本体の斜視図である。
【図５】コネクターカバーの拡大斜視図である。
【図６】コネクターカバーの収容位置及び引出し位置における平面図である。
【図７】従来のコネクターカバーの平面図である。
【符号の説明】
【００２２】
(１)  機器本体
(11)  軸受け部
(12)  凹部
(２)  コネクターカバー
(21)  基部
(22)  第１カバー部
(23)  第２カバー部
(24)  薄肉部
(25)  薄肉部
(26)  軸部
(27)  鍔部
(３)  コネクター
(４)  コネクター
【図１】
2009134967.tif 000003
【図２】
2009134967.tif 000004
【図３】
2009134967.tif 000005
【図４】
2009134967.tif 000006
【図５】
2009134967.tif 000007
【図６】
2009134967.tif 000008
【図７】
2009134967.tif 000009